(57)【要約】【課題】組み立てが容易で、小型で安価な対物レンズ駆動装置の提供を可能にする新規な構造を有する対物レンズホルダを提供する。【解決手段】対物レンズホルダを上下２つの部材で構成する。上側部材５０は、概略板状で、対物レンズを搭載するための貫通孔５０１、ヨークを挿入するための方形穴５０２、サスペンションワイヤを固定する固定部５０３、及びトラッキングワイヤを巻回するための第１のフック部５０４等が形成されている。下側部材５５は、概略板状の板上部５５１とその一面に突設されたチルティングコイル巻枠部５５２とを有し、レーザ光を通過させるための貫通孔５５３及びトラッキングワイヤを巻回すための第２のフック部５５４が形成されている。チルティングコイル巻枠部５５２は、それぞれにチルティングコイルが巻回されるとともに、フォーカシングコイルを巻回す単一の巻芯としても使用される。【選択図】      図５
2004319006.tif 000002
【特許請求の範囲】
【請求項１】
光ピックアップに用いられ、フォーカシングコイルを巻回すためのフォーカシングコイル用巻枠部とチルティングコイルを巻回すための複数のチルティングコイル用巻枠部とを備えた対物レンズホルダにおいて、
前記複数のチルティングコイル用巻枠部が、前記フォーカシングコイル用巻枠部の巻芯を兼ねるようにしたことを特徴とする対物レンズホルダ。
【請求項２】
請求項１に記載の対物レンズホルダにおいて、当該対物レンズホルダは互いに組み合わされる複数の部材からなり、当該複数の部材を組み合わせる前の状態のとき、前記複数のチルティングコイル用巻枠部の夫々に対して前記チルティングコイルを巻回すことができるようにしたことを特徴とする対物レンズホルダ。
【請求項３】
請求項２に記載の対物レンズホルダにおいて、前記複数の部材が上側部材と下側部材であり、前記上側部材が前記フォーカシングコイル用巻枠部の第１のフランジを構成し、前記下側部材が前記フォーカシングコイル用巻枠部の第２フランジと当該第２のフランジの一面上に突設された前記複数のチルティングコイル用巻枠部とを構成し、前記第１のフランジが前記第２のフランジと対向配置されるように前記複数のチルティングコイル用巻枠部に取り付けられることを特徴とする対物レンズホルダ。
【請求項４】
請求項３に記載の対物レンズホルダにおいて、前記第１及び前記第２のフランジの対向面が夫々略四角形であって、前記複数のチルティングコイル用巻枠部が前記対向面の四隅近傍に設けられていることを特徴とする対物レンズホルダ。
【請求項５】
請求項４に記載の対物レンズホルダにおいて、前記第１及び第２のフランジの所定方向に垂直な一対の面の両側部に、トラッキングコイルを巻回すためのフック部が前記所定方向に沿って突出するように夫々形成されていることを特徴とする対物レンズホルダ。
【請求項６】
請求項１乃至請求項５のいずれか一つに記載の対物レンズホルダと、当該対物レンズホルダに保持された対物レンズと、チルティングコイルと、フォーカシングコイルと、トラッキングコイルと、前記対物レンズホルダを支持する複数のサスペンションワイヤと、前記所定方向に沿って前記対物レンズホルダを挟むよう対向配置された一対の２極着磁マグネットを含む磁気回路とを備え、
前記チルティングコイル、前記フォーカシングコイル及び前記トラッキングコイルの各々に流す電流を制御することにより、前記対物レンズのフォーカシング制御、トラッキング制御及びチルティング制御を行えるようにしたことを特徴とする対物レンズ駆動装置。
【請求項７】
請求項６に記載の前記対物レンズ駆動装置において、
前記トラッキングコイル及び／又は前記フォーカシングコイルと接続される第１及び第２の接続端子と、前記チルティングコイルと接続される第３の接続端子を備え、
前記第１及び第２の接続端子は前記対物レンズホルダの側面に配置され、前記第３の接続端子は対物レンズホルダの下面に配置されることを特徴とする対物レンズ駆動装置。
【請求項８】
請求項６に記載の対物レンズ駆動装置において、前記複数のサスペンションワイヤは、前記対物レンズホルダの側面の固定部に当該固定部を貫通した状態で固定されるとともに、その先端部が前記対物レンズホルダの側面の接続端子に接続されていることを特徴とする対物レンズ駆動装置。
【請求項９】
請求項６に記載の対物レンズ駆動装置において、
さらに引き出し線を備え、
当該引き出し線は、前記対物レンズホルダの側面の固定部に当該固定部を貫通した状態で固定されるとともに、その先端部が前記対物レンズホルダの下面側へ折り曲げられて当該対物レンズの下面の接続端子に接続されていることを特徴とする対物レンズ駆動装置。
【請求項１０】
対物レンズを保持する対物レンズホルダと、前記対物レンズホルダ上にコイルを巻回して配置した対物レンズホルダ駆動回路と、前記対物レンズ駆動回路の一部に位置するように配置されたヨーク部材とマグネットとを含む磁気回路とを備え、
前記ヨーク部材は、前記対物レンズホルダを貫通して挿入される挿入部と、前記マグネットが固定される平面板部とを有し、前記挿入部が平面板部に比して肉厚とされることを特徴とする対物レンズ駆動装置。
【請求項１１】
請求項１０に記載の対物レンズ駆動装置において、前記ヨーク部材は前記挿入部と平面板部とを断面コ字状に接続する底面板部を備え、
前記底面板部は、前記挿入部と接続される部分を肉厚とする肉厚部と、平面板部と接続される部分を肉薄とする肉薄部とを備えることを特徴とする対物レンズ駆動装置。
【発明の詳細な説明】
【０００１】
【発明の属する技術分野】
本発明は、光ディスクドライブの光ピックアップに用いられる対物レンズ駆動装置に関し、特にその対物レンズホルダに関する。
【０００２】
【従来の技術】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【０００４】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【０００５】
従来の対物レンズ駆動装置は、フォーカシング制御、トラッキング制御及びチルティング制御を可能にするため、対物レンズを保持する対物レンズホルダを、複数のサスペンションワイヤによって弾性支持している。また、対物レンズホルダに、フォーカシングコイル、トラッキングコイル及びチルティングコイルを巻回しあるいは取り付け、これらのコイルを磁気回路のギャップ内に部分的に位置させている。このような構成において、各コイルに流れる電流を制御することで、従来の対物レンズ駆動装置は、対物レンズの位置及び傾きを微調整することができる（例えば、特許文献１参照。）。
【０００６】
以下、図１及び２を参照して、従来の対物レンズ駆動装置について説明する。
【０００７】
図１は、従来の対物レンズ駆動装置の縦断面図である。図示の対物レンズ駆動装置は、対物レンズ１１、レンズホルダ１２、フォーカシングコイル１３、トラッキングコイル１４、チルティングコイル１５、ヨーク１６、マグネット１７、サスペンションワイヤ１８、ベース１９を備えている。
【０００８】
対物レンズ１１は、レンズホルダ１２の上面側に配置されている。フォーカシングコイル１３は、レンズホルダ１２の側面に巻回され、トラッキングコイル１４及びチルティングコイル１５は、レンズホルダ１２の側面に貼付けられている。
【０００９】
４本（うち２本のみ図示する。）のサスペンションワイヤ１８の各々の一端は、レンズホルダ１２に固定されている。また、各サスペンションワイヤ１８の他端は、ベース１９に固定されている。これにより、レンズホルダ１２は、フォーカシング方向（図の上下方向）及びトラッキング方向（図の表裏方向）に移動可能かつ、光ディスクの半径方向（図の左右方向に延在する回転軸の周方向）に傾動可能に弾性支持される。
【００１０】
ヨーク１６とマグネット１７による２組の組み合わせは、夫々磁気回路を形成し、各磁気ギャップ内に、フォーカシングコイル１３、トラッキングコイル１４及びチルティングスティングコイル１５の各々の一部が位置するように配置されている。図２は、ヨーク１６とマグネット１７との組み合わせによる磁気回路の有効磁界領域と、各コイルとの位置関係を示している。
【００１１】
上記のような構成において、フォーカシングコイル１３、トラッキングコイル１４及びチルティングコイル１５に、それぞれ適切な電流を供給すれば、それに応じてレンズホルダ１２（および対物レンズ１１）を移動及び／又は傾動させることができ、光ビームを光ディスクの記録面のトラック上に正しく集光させることができる。
【００１２】
【特許文献１】
特開２００１−９３１７７号公報（図７、図８）
【００１３】
【発明が解決しようとする課題】
従来の対物レンズ駆動装置には、トラッキングコイルとチルティングコイルとがレンズホルダの側面に上下方向に並べて配置されているため、小型化が困難であるという問題点がある。
【００１４】
また、この対物レンズ駆動装置には、トラッキングコイル及びチルティングコイルをレンズホルダの側面に貼付けなければならず、その製造に手間がかかりコストがかかるという問題点もある。
【００１５】
小型化が期待できる対物レンズ駆動装置として、コイルをプリント基板に印刷形成したものもあるが（例えば、特開２００１−２７３６５６号公報）、製造プロセスが複雑でコストがかかるのという問題点がある。
【００１６】
また、マグネットにおいては、複雑な多極着磁を施さなければならず、コスト高になるばかりでなく、ニュートラルゾーンによる加速度感度低下や傾角特性の悪化など生じる要因となっていた。
【００１７】
そこで、本発明は、新規な構造を有する対物レンズホルダを提供し、もって組み立てが容易な、小型で安価な対物レンズ駆動装置を提供することを目的とする。
【００１８】
【課題を解決するための手段】
本発明によれば、光ピックアップに用いられ、フォーカシングコイル（８０）を巻回すためのフォーカシングコイル用巻枠部（５０，５５）とチルティングコイル（７０）を巻回すための複数のチルティングコイル用巻枠部（５５２）とを備えた対物レンズホルダ（４３）において、前記複数のチルティングコイル用巻枠部（５５２）が、前記フォーカシングコイル用巻枠部（５０，５５）の巻芯を兼ねるようにしたことを特徴とする対物レンズホルダ（４３）が得られる。
【００１９】
具体的には、上記対物レンズホルダ（４３）は、上側部材（５０）と下側部材（５５）からなり、前記上側部材（５０）が前記フォーカシングコイル用巻枠部の第１のフランジ（５０）を構成し、前記下側部材（５５）が前記フォーカシングコイル用巻枠部の第２フランジ（５５１）と当該第２のフランジの一面上に突設された前記複数のチルティングコイル用巻枠部（５５２）とを構成し、前記第１のフランジ（５０）が前記第２のフランジ（５５２）と対向配置されるように前記複数のチルティングコイル用巻枠部（５５２）に取り付けられている。
【００２０】
また、本発明によれば、上記対物レンズホルダ（４３）と、当該対物レンズホルダ（４３）に保持された対物レンズ（４２）と、前記複数のチルティングコイル用巻枠部（５５２）にそれぞれ巻回された前記チルティングコイル（７０）と、当該チルティングコイル（７０）が巻回された前記複数のチルティングコイル用巻枠部（５５２）に巻回された前記フォーカシングコイル（８０）と、前記フック部（５０４，５５４）に夫々巻回された前記トラッキングコイル（１００）と、前記対物レンズホルダ（４３）を支持する複数のサスペンションワイヤ（４４）と、該複数のサスペンションワイヤ（４４）の後端を固定支持する固定部（４１）と、当該固定部（４１）に固定され前記所定方向に沿って前記対物レンズホルダ（４３）を挟むよう対向配置された一対の２極着磁マグネット（４６）を含む磁気回路（４５，４６）とを備え、前記チルティングコイル（７０）、前記フォーカシングコイル（８０）及び前記トラッキングコイル（１００）の各々に流す電流を制御することにより、前記対物レンズ（４２）のフォーカシング制御、トラッキング制御及びチルティング制御を行えるようにしたことを特徴とする対物レンズ駆動装置が得られる。
【００２１】
なお、上記括弧内の参照符号は、単に本発明の理解を容易にするために付したものであって、何ら本発明を限定するものではない。
【００２２】
【発明の実施の形態】
以下、図面を参照して本発明の実施の形態について詳細に説明する。
【００２３】
図３は、本発明の一実施の形態に係る対物レンズ駆動装置の斜視図である。また、図４は、図３の対物レンズ駆動装置の金属製トップカバー４７を取り外した状態を示す斜視図である。
【００２４】
図３、図４に示すように、対物レンズ駆動装置は、ベース４１と、対物レンズ４２と、対物レンズホルダ４３と、ベース４１に対して対物レンズホルダ４３を揺動可能に支持する４本（２本のみ図示）のサスペンションワイヤ４４と、ベース４１に固定された一対のヨーク４５及び各ヨーク４５に固定された磁石４６とを有している。
【００２５】
この対物レンズ駆動装置は、図示しない光ディスクドライバの光学ベースに搭載され、光ピックアップを構成する。光学ベースは、光ディスク装置に導入された光ディスクの半径方向（トラッキング方向Ｔｒ）に沿って移動可能にガイドバーに取り付けられている。また、光学ベースには、レーザダイオード、光検出器、及び所定の光学系が取り付けられており、レーザダイオードからのレーザ光が対物レンズ４２を通して光ディスクに照射され、その反射光が光検出器に導かれるように構成されている。
【００２６】
対物レンズホルダ４３には、後述するように、チルティングコイル、フォーカシングコイル及びトラッキングコイルが巻き回されており、これらのコイルに流す電流を適切に制御することにより、対物レンズホルダ４３は、ヨーク４５及び磁石４６が作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００２７】
以下、対物レンズホルダ４３について詳述する。
【００２８】
対物レンズホルダ４３は、図５（ａ）に示すような上側部材５０と、図５（ｂ）に示すような下側部材５５とからなる。
【００２９】
図５（ａ）に示すように、上側部材５０は、概略正方形の板状（下側部材５５に対向する面が略四角形）であり、その中央部には、対物レンズを取り付けるための貫通孔５０１が形成されている。また、上側部材５０の四隅近傍には、ヨーク４５の一部を挿入するための４つの方形穴５０２が対称的な位置に形成されている。なお、ヨーク４５は、図６に示すような形状である。
【００３０】
図６に示すように、ヨーク４５は、方形穴５０２に挿入されるＵ字板部４５１、磁石４６が接着固定される平面部４５２と、Ｕ字状板部４５１と平面板部４５２とを一体かつ断面コ字状に接続する底面板部４５３とからなる。底面板部４５３は、肉厚部４５３ａと肉薄部４５３ｂとからなり、肉厚部４５３ａはＵ字状板部４５１と隣接し、肉薄部は平面板部４５２と隣接している。平面板部４５２の厚みＷ１とＵ字状板部４５１の厚みＷ２は、Ｗ１＜Ｗ２の関係で構成される。ヨーク４５は、対物レンズホルダ４３の方形穴５０２に挿入される４５１を肉厚とし、磁石４６が固定される平面板部４５２を肉薄とし、対物レンズホルダ４３の下側に肉厚部４５３ａが位置するようにしたので、対物レンズアクチュエータを小型化できるとともにレンズホルダに作用する磁気力を強化できるものである。
【００３１】
上側部材５０には、また、トラッキング方向（Ｔｒ）両側にサスペンションワイヤ４４を固定するための固定部５０３が形成されている。さらに、上側部材５０のタンジェンシャル方向（Ｔｇ）両側には、その端部近傍に、トラッキングコイルを巻回すための４個の第１のフック部５０４が、タンジェンシャル方向に沿って突出するように形成されている。
【００３２】
一方、下側部材５５は、図５（ｂ）に示すように、概略正方形状（上側部材５０に対向する面が略四角形）の板状部５５１と、この板状部５５１の一面から垂直方向に突き出したチルティングコイル巻枠部５５２とを有している。板状部５５１のサイズは、少なくともタンジェンシャル方向（Ｔｇ）に関して上側部材５０と同一である。
【００３３】
板状部５５１の中央には、レーザ光を通過させるための貫通孔５５３が形成されている。また、板状部５５１の四隅近傍には、ヨーク４５の一部を挿入するための４つの方形穴が形成されている。チルティングコイル巻枠部５５２は、この方形穴を不完全に取り囲むように形成されている。
【００３４】
さらに、下側部材５５には、そのタンジェンシャル方向（Ｔｇ）両側には、その端部近傍に、トラッキングコイルを巻回すための４個の第２のフック部５５４が、タンジェンシャル方向に沿って突出するように形成されている。
【００３５】
上述した上側部材５０及び下側部材５５は、互いに組み合わされて対物レンズホルダ４３を構成するが、これらを組み合わせる前に、チルティングコイル及びフォーカシングコイルが、この順番でチルティングコイル巻枠部５５２に巻回される。
【００３６】
詳述すると、図７に示すように、チルティングコイル７０は、４個のチルティングコイル巻枠部５５２の夫々に順番に巻回される。この後、図８に示すように、これらチルティングコイル７０が巻回された４個のチルティングコイル巻枠部５５２を単一の巻芯として、フォーカシングコイル８０が巻回される。
【００３７】
こうして、下側部材５５にチルティングコイル７０及びフォーカシングコイル８０が巻回された後、上側部材５０が下側部材５５に固定される。その状態を図９に示す。
【００３８】
図９に示す状態で、この対物レンズホルダ４３全体をフォーカシングコイル巻枠部とみなすと、上側部材５０及び下側部材５５の板状部５５１がフランジに相当する。４個のチルティングコイル巻枠部５５２が、その巻芯に相当することは上述した通りである。
【００３９】
また、図９に示す状態で、上側部材５０に形成された貫通孔５０１の中心軸と、下側部材に形成された貫通孔５５３の中心軸とは互いに一致する。また、上側部材５０に形成された４個の第１のフック部５０４と、下側部材５５に形成された４個の第２のフック部５５４とは、互いに対向しそれぞれ対を成す。第１のフック部５０４及び第２のフック部５５４の対は、それぞれトラッキングコイルを巻回すための４個のトラッキングコイル巻枠部を構成する。
【００４０】
この後、図１０に示すように、４個のトラッキングコイル巻枠部にトラッキングコイル１００が巻き回され、図１１に示すように対物レンズ４２が取り付けられる。
【００４１】
チルティングコイル７０、フォーカシングコイル８０及びトラッキングコイル１００の端部は、接続端子６０１、６０２、６０３に接続される。ここで、フォーカシングコイル８０及びトラッキングコイル１００の端部が接続される接続端子６０１、６０２には、さらに、図１２に示すように、上側部材５０に形成された固定部５０３にこの固定部５０３を貫通した状態で固定されるサスペンションワイヤ４４の一端が夫々接続される。一方、チルティングコイル７０が接続される接続端子には、図１２及び図１３に示すように、引き出し線１２０が接続される。
【００４２】
図１２及び図１３に示されるように引き出し線１２０は固定部５０３を貫通して固定された後、下方に折り曲げられて対物レンズホルダ４３の下側部材５５に設けられたチルティングコイル７０用の接続端子６０３と接続される。
【００４３】
図１４に、コイル７０，８０及び１００が巻き回され、サスペンションワイヤ４４が取り付けられた対物レンズホルダ４３に、ヨーク４５及び磁石４６を組み合わせた状態を示す。なお、磁石４６は、２極着磁マグネットである。
【００４４】
図１４から容易に理解できるように、ヨーク４５と磁石４６との組み合わせが作り出す磁気回路の磁気ギャップ内に、チルティングコイル７０、フォーカシングコイル８０及びトラッキングコイル１００の各々の一部が配置されている。これにより、各コイルに流れる電流に応じて、対物レンズホルダ４３は、移動し、また傾動する。即ち、各コイルに流れる電流を制御することにより、チルティング制御、フォーカシング制御及びトラッキング制御を行うことができる。
【００４５】
本実施の形態に係る対物レンズホルダは、チルティングコイル専用のスペースを必要としないので、小型化が可能である。これにより、対物レンズ駆動装置の小型化も実現できる。
【００４６】
以上、本発明ついて一実施の形態に即して説明してきたが、本発明は上記実施の形態に限定されるものではない。例えば、上記実施の形態では、対物レンズホルダを上下に２分割する例について説明したが、チルティングコイルを巻くことができれば、どのように分割されてもよい。
【００４７】
【発明の効果】
本発明によれば、フォーカシングコイルを巻回すためのフォーカシングコイル用巻枠部とチルティングコイルを巻回すための複数のチルティングコイル用巻枠部とを備えた、光ピックアップ用の対物レンズホルダにおいて、前記複数のチルティングコイル用巻枠部が、前記フォーカシングコイル用巻枠部の巻芯を兼ねるようにしたことで、小型化を実現することができ、もって対物レンズ駆動装置の小型化を実現できる。
【００４８】
また、対物レンズホルダを複数の部材で構成するようにしたことにより、対物レンズホルダへのコイルの巻回しが容易に行え、組み立てが容易で安価な対物レンズ駆動装置を実現することができる。
【図面の簡単な説明】
【図１】従来の対物レンズ駆動装置の縦断面図である。
【図２】図１の対物レンズ駆動装置における有効磁界領域と各コイルの位置関係を示す図である。
【図３】本発明の一実施の形態に係る対物レンズ駆動装置の斜視図である。
【図４】図３の対物レンズ駆動装置のトップカバーを外した状態を示す斜視図である。
【図５】図３の対物レンズ駆動装置に用いられる対物レンズホルダの（ａ）上側部材及び（ｂ）下側部材の斜視図である。
【図６】図３の対物レンズ駆動装置に用いられるヨークの斜視図である。
【図７】図５（ｂ）の下側部材にチルティングコイルを巻回した状態を示す斜視図である。
【図８】図７に示す状態の下側部材にフォーカシングコイルを巻回した状態を示す斜視図である。
【図９】図８に示す状態の下側部材に図５（ａ）の上側部材を取り付けた状態の対物レンズホルダを示す斜視図である。
【図１０】図９に示す状態の対物レンズホルダにトラッキングコイルを巻き回した状態を示す斜視図である。
【図１１】図１０に示す状態の対物レンズホルダに対物レンズを取り付けた状態を示す斜視図である。
【図１２】図１１に示す状態の対物レンズホルダにサスペンションワイヤ及び引き出し線を取り付けた状態を示す斜視図である。
【図１３】図１２の状態の対物レンズホルダを下面側から見た斜視図である。
【図１４】図１２に示す状態の対物レンズホルダにヨーク及び磁石からなる磁気回路を組み合わせた状態を示す斜視図である。
【符号の説明】
１１      対物レンズ
１２      レンズホルダ
１３      フォーカシングコイル
１４      トラッキングコイル
１５      チルティングコイル
１６      ヨーク
１７      マグネット
１８      サスペンションワイヤ
１９      ベース
４１      ベース
４２      対物レンズ
４３      対物レンズホルダ
４４      サスペンションワイヤ
４５      ヨーク
４５１    Ｕ字状板部
４５２    平面板部
４５３    底面板部
４５３ａ  肉厚部
４５３ｂ  肉薄部
４６      磁石
５０      上側部材
５０１      貫通孔
５０２      方形穴
５０３      固定部
５０４      第１のフック部
５５      下側部材
５５１      板状部
５５２      チルティングコイル巻枠部
５５３      貫通孔
５５４      第２のフック部
６０１、６０２、６０３  接続端子
７０      チルティングコイル
８０      フォーカシングコイル
１００    トラッキングコイル
１２０    引き出し線
【図１】
2004319006.tif 000003
【図２】
2004319006.tif 000004
【図３】
2004319006.tif 000005
【図４】
2004319006.tif 000006
【図５】
2004319006.tif 000007
【図６】
2004319006.tif 000008
【図７】
2004319006.tif 000009
【図８】
2004319006.tif 000010
【図９】
2004319006.tif 000011
【図１０】
2004319006.tif 000012
【図１１】
2004319006.tif 000013
【図１２】
2004319006.tif 000014
【図１３】
2004319006.tif 000015
【図１４】
2004319006.tif 000016